(57)【要約】【課題】従来のコード類の長さ調整器具としては、外形が円形形状や長手形状のコード巻き付けタイプのものが知られているが、基本的に１コード１個の調整器具で長さを調整していたため、複数のコードが配線されている場合にはスペースを多く必要とするため乱雑になりかねず、またコストも高くつくという課題があった。【解決手段】本発明は、長手形状の長さ調整器具ではあるが、２枚の主壁に突起および嵌合穴をそれぞれに設け、例えば嵌合穴に他の同一形状の長さ調整器具の突起部が勘合して相互に固定されて連結出来る新規な連結式長さ調整器具を提供するものである。【選択図】図１
2004238106.tif 000002
【特許請求の範囲】
【請求項１】
電子機器等に用いられる長いコードの長さ調整器具おいて、２枚の長手方向の本体壁を保持する複数の保持部７と、前記本体壁の先端にはコードを架ける係止部４と、左本体壁２には他の長さ調整器具の突起部を勘合する穴部６と、右本体壁３の外側には突起部５とが設けられていることを特徴とする連結式ケーブル長さ調整器具。
【請求項２】
前記係止部４は、先端の開放口が左右対称に上下を向け、或いは左右両方が下向きに設けられていることを特徴とする請求項１記載の連結式ケーブル長さ調整器具。
【請求項３】
前記左本体壁２の穴部６は、他の長さ調整器具の突起部を勘合する大きい穴と、突起部を固定する小さい穴とから構成されることを特徴とする請求項１及び請求項２記載の連結式ケーブル長さ調整器具。
【発明の詳細な説明】
【０００１】
【発明の属する技術分野】
本発明は、電子機器等に用いられる長いコードの長さ調整器具であるが、さらに詳しくは、１個のコードを１個の長さ調整器具に巻き付ける他に、該長さ調整器具の右本体壁に設けた突起部を他の長さ調整器具の左本体壁の穴部に勘合させて連結可能とした新規な連結式長さ調整器具に関するものである。
【０００２】
【従来技術】
従来、電子機器や電源ケーブル等の長さを調整するケーブル巻き取り器としては、実用新案第３０６０６１６号「ケーブルの巻き取り器」に示されるように、「容器部とそれに冠着する蓋部とからなり、その内、前記容器部にケーブル巻き取り軸を設けると共に、容器部の口縁部にケーブル挿通口を切り欠き形成したケーブル巻き取り器」が開示されている。
【０００３】
また実用新案第３０６５４１８号「電気導体の長さ調整装置」は、「レコーダ、プレーヤ又はその他の用途のケーブルによる遠隔操作の電気導体に適用することを意図した電気導体の長さ調整装置において、内部が少なくとも１つの使用ケーブルの巻き付け手段で係合される２つの主壁によって構成される細長い巻付器、巻付器の上記主壁の内面から周囲を囲んで互いに向かい合って突きだし、突き出しの互いの先端がケーブルの押し込み通路を形成するのに必要な距離だけ離れているフレキシブル突起部を有する細長い輪状のリム、および装置をケーブルに固定する位置ロックを有する固定手段を備えることを特徴とする電気導体の長さ調整装置」を開示する。
【０００４】
【発明が解決しようとする課題】
上記の長さ調整装置は、いずれも１本のコード長さを調整する点ではそれぞれに特徴を有するものであるが、近年のようにパソコン等の通信機器の発展により１職場の中で無数のコードが配線されている場合には、上記装置を多く用いるとスペースを広く必要とする他に、高価につくという問題があった。
【０００５】
また上記従来のコード類は比較的直径の小さな０．２〜０．３ｍｍφ径の配線を巻き付けるのには適しているが、０．６ｍｍφ径以上の配線の場合には巻き付け難いという欠点を有していた。
【０００６】
【課題を解決するための手段】
本発明者は、掛かる課題を解決するために鋭意研究したところ、長手形状の主壁を保持部で保持した調整器具において、主壁の両先端部にケーブルを係止する係止部を設けて適当な長さに巻き付けた後のケーブルを固定すると共に、右主壁外側に設けた突起部を他の長さ調整器具の穴部に嵌合固定して調整器具自体を連結させながら、別のケーブルも同様に巻き付けて整理できる新規な長さ調整器具を開発することができた。
【０００７】
すなわち本発明の第一は、電子機器等に用いられる長いコードの長さ調整器具おいて、２枚の長手方向の本体壁を保持する複数の保持部７と、前記本体壁の先端にはコードを架ける係止部４と、左本体壁２には他の長さ調整器具の突起部を勘合する穴部６と、右本体壁３の外側には突起部５とが設けられていることを特徴とする連結式ケーブル長さ調整器具である。
【０００８】
本発明の第二は、前記係止部４は、先端の開放口が左右対称に上下を向け、或いは左右両方が下向きに設けられていることを特徴とする請求項１記載の連結式ケーブル長さ調整器具である。
【０００９】
本発明の第三は、前記左本体壁２の穴部６は、他の長さ調整器具の突起部を勘合する大きい穴と、突起部を固定する小さい穴とから構成されることを特徴とする請求項１及び請求項２記載の連結式ケーブル長さ調整器具である。
【００１０】
【発明の実施の形態】
本発明の長さ調整器具を図面を持って説明する。図１は、本発明器具の斜視図である。本発明の長さ調整器具１は、左主壁２と右主壁３とが２個の保持部７で内側を固定されている。
【００１１】
これらの主壁２，３の先端には引っかける先の方向が相反するように、或いは共に下向きになるようにした係止部４が設けられており、前記保持部に巻き付けた後のコードを該係止部に引っかけて巻き付けたコードがゆるまないようにしている。
【００１２】
この場合、係止部４は図１に示すように、左主壁２と右主壁３との先端に１個ずつ設けてもよいが、図２および図３に示すように両端部に２個の係止部４を設けたものでも構わないが、連結した状態で使用する場合には、両端部に２個の係止部を設けたものが好ましい。
【００１３】
上記長さ調整器具１は、さらに右主壁３脇に２個の突起部を設けている他、左主壁３に他の同一形状の長さ調整器具の突起部が嵌合固定できるように穴部６が２個設けられている。
【００１４】
インターネットの通信機器が多数設置されている職場においては、相当数のコードが配線されており長さを調整しないと見た目にも乱雑であるために、上記１個の長さ調整器具を用いた場合には、他のコードの長さ調整はできなかった。
【００１５】
このため１個のケーブルを巻き付けた後に、隣に配線されているコードについては、他の長さ調整器具を用いて先に巻き付けた長さ調整器具の左主壁２にある穴部６に新たな第２長さ調整器具の右主壁の突起部５を嵌合固定して、第１および第２の２個の長さ調整器具を並列に並べ、コードを同様に巻き付けるとコードのゆるみが無くなり、見た目にもすっきりと整理できるものである。
【００１６】
同様に近くにある配線されているコードを、第３の長さ調整器具を第２の長さ調整器具の左主壁に取り付けて第１から第３の調整器具を更に並列に並べることも可能である。
【００１７】
【発明の効果】
本発明の長さ調整器具１は簡易な構造であるのも関わらず、連結可能であるために複数のコードをきれいに巻き付けることができるものである。
【００１８】
構造的にも簡易であるために、プラスチック樹脂等の安価な素材で製造可能であり、従来品よりも安価で大量生産可能な長さ調整器具である。
【００１９】
また１個毎に分けると本体枠の大きさであるために、収納等が簡単にできる他、使用時においてもスペースをそんなに必要としないものである。
【００２０】
巻き付け対象とする配線の太さが１．０ｍｍφ以上であっても、保持部に巻き付けながら係止部４でコードを押さえるために、複数の配線をきれいに整理出来るものである。
【図面の簡単な説明】
【図１】本発明長さ調整器具の全体を示す斜視図である。
【図２】図１における右主壁の正面図である。
【図３】図１における左主壁の正面図である。
【符号の説明】
１・・・長さ調整器具
２・・・左主壁
３・・・右主壁
４・・・係止部
５・・・突起部
６・・・穴部
７・・・保持部
【図１】
2004238106.tif 000003
【図２】
2004238106.tif 000004
【図３】
2004238106.tif 000005
【図４】
2004238106.tif 000006
【手続補正書】
【提出日】平成15年2月28日(2003.2.28)
【手続補正１】
【補正対象書類名】明細書
【補正対象項目名】図面の簡単な説明
【補正方法】変更
【補正の内容】
【図面の簡単な説明】
【図１】本発明の長さ調整器具の全体を示す斜視図である。
【図２】図１における右主壁の正面図である。
【図３】図１における左主壁の正面図である。
【図４】本発明の長さ調整器具を連結した状態を示す斜視図である。
【符号の説明】
１・・・長さ調整器具
２・・・左主壁
３・・・右主壁
４・・・係止部
５・・・突起部
６・・・穴部
７・・・保持部